(57)【特許請求の範囲】
【請求項１】
左右の望遠光学系を支持する左右一対の可動フレームと、該可動フレームを双眼鏡の幅方向に移動可能に保持する支持フレームと、を備え、前記支持フレームにおいて前記可動フレームの下方に位置する支持フレームの、双眼鏡前後方向の端縁近傍且つ前記幅方向両端縁近傍に第１のピンを突設し、前記可動フレームに、前記第１のピンに係合し且つ双眼鏡の幅方向に延びる案内溝を形成すると共に、前記支持フレームの双眼鏡前後方向の端縁近傍には、前記前後方向の端縁であって前記第１のピンと前記第１のピンに直近の前記幅方向端縁との間の位置から切り欠かれ、その後前記第１のピンよりも前記双眼鏡の前後方向中央側において前記第１のピンよりも双眼鏡の幅方向中央側にまで延びる切り欠きを形成し、前記端縁近傍の前記第１のピンを含む領域を双眼鏡の前後方向に弾性変形可能とし、前記領域が所定量弾性変形した状態で、前記案内溝と前記第１のピンとが係合していること、を特徴とする双眼鏡。
【請求項２】
前記支持フレームに第２のピンがさらに植設され、前記可動フレームに、前記第２のピンに係合し且つ双眼鏡の幅方向に延びる案内溝がさらに形成されていること、を特徴とする請求項１に記載の双眼鏡。
【請求項３】
前記支持フレームは板状部材であること、を特徴とする請求項１又は２に記載の双眼鏡。
【請求項４】
前記第１のピンは前記支持フレームの四隅に突設されること、を特徴とする請求項１から３のいずれかに記載の双眼鏡。
【請求項５】
前記切り欠きは、前記支持フレームの前端近傍あるいは後端近傍に形成されること、を特徴とする請求項１から４のいずれかに記載の双眼鏡。
【発明の詳細な説明】
【０００１】
【発明の属する技術分野】
本発明は双眼鏡に関するものであり、より詳細には、眼幅調整機構を有する双眼鏡に関するものである。
【０００２】
【従来の技術】
従来より、左右の望遠光学系を左右一対のケーシングに収納し、両ケーシングを双眼鏡幅方向に相対移動させることにより眼幅調整を行うことができる双眼鏡が知られている。このような双眼鏡は、一方（例えば左側）のケーシングが他方（例えば右側）のケーシングに収納されるよう構成されており、一方のケーシングを他方のケーシングから引き出すことにより眼幅が広げることができる。
【０００３】
眼幅調整に伴うケーシングの移動を案内するため、一方のケーシングにはガイドバーが設けられ、他方には当該ガイドバーに係合する係合部（孔など）が設けられている。
【０００４】
【発明が解決しようとする課題】
しかしながら、このような双眼鏡では、ガイドバーと係合部とのクリアランスが大きいとケーシングの移動の際のがたつきが大きくなり、クリアランスが小さいとケーシングの移動が渋くなり操作しにくくなるという問題点があった。
【０００５】
本発明は、上記の事情に鑑み、眼幅調整の際のがたつきが少なく、且つ眼幅調整操作がし易いやすい双眼鏡を提供することを目的とするものである。
【０００６】
【課題を解決するための手段】
上記の目的を達成するため、本発明の双眼鏡は、左右の望遠光学系を支持する左右一対の可動フレームと、該可動フレームを双眼鏡の幅方向に移動可能に保持する支持フレームと、を備え、支持フレームにおいて可動部材の下方に位置する支持部材の、双眼鏡前後方向の端縁近傍にピンを突設し、可動フレームに、ピンに係合し且つ双眼鏡の幅方向に延びる案内溝を形成すると共に、支持部材の端縁近傍に双眼鏡の幅方向に延びる切り欠きを形成し、端縁近傍のピンを含む領域を双眼鏡の前後方向に弾性変形可能とし、当該領域を所定量弾性変形させた状態で、案内溝とピンとを係合させること、を特徴とするものである。このように構成することによって、上記領域の弾性力によってピンが案内溝に対して当接付勢される。
【０００７】
上記の支持部材には、第２のピンがさらに植設され、可動フレームには、第２のピンに係合し且つ双眼鏡の幅方向に延びる案内溝がさらに形成される。このように構成することにより、上記の当接付勢に伴って第２のピンが案内溝の一端に摺接する。そのため、案内溝とピンとの間にクリアランスがあっても、眼幅調整の際のがたつきは減少する。また、案内溝とピンとのクリアランスをあまり小さくする必要が無いため、眼幅調整の際の可動フレームの移動がスムースに行われる。即ち、眼幅調整操作がし易くなる。
【０００８】
なお、上記のピンは底板の四隅に突設することができる。このように構成することにより、眼幅調整の際の上記可動部材の移動をより安定させることができる。また、この場合、上記の切り欠きを、底板の前端近傍あるいは後端近傍に形成することが可能である。
【０００９】
【発明の実施の形態】
以下、本発明の実施の形態を説明する。
本実施形態の双眼鏡は、左右の望遠光学系を双眼鏡の幅方向中心部に対して対称に移動させて眼幅調整を行うよう構成されたものであり、両接眼部の間隔の大小に係わらず、焦点調整用の操作部材が双眼鏡の幅方向中心部に位置するよう構成されたものである。以下、図面を参照して詳説する。
【００１０】
図１は、本実施形態の双眼鏡１を示す斜視図である。双眼鏡１は、双眼鏡の幅方向中心部に対して対称に移動可能な左右一対の鏡体（ケーシング）２１，２２と、両鏡体を支持する支持フレーム２５が設けられている。
【００１１】
図２は、双眼鏡１の光学系を示す図である。双眼鏡１は、接眼レンズと対物レンズが同一直線上に配置された、所謂ダハプリズムタイプの双眼鏡である。図２に示すように、双眼鏡１の左右の鏡体２１，２２には、左右一対の望遠光学系１０Ｌ，１０Ｒが収容されている。各望遠光学系１０Ｌ，１０Ｒは、図中一点鎖線で示す入射光軸ＯＡL，ＯＡRに沿って、第１レンズ１１Ｌ，１１Ｒ、補助プリズム１２Ｌ，１２Ｒ、ダハプリズム１３Ｌ，１３Ｒ、及び第２レンズ１４Ｌ，１４Ｒ、接眼レンズ１５Ｌ，１５Ｒからなっている。
【００１２】
第１レンズ１１Ｌ，１１Ｒ及び第２レンズ１４Ｌ，１４Ｒは、夫々対物光学系を形成しており、当該対物光学系により像が形成される位置に視野枠１６Ｌ，１６Ｒが設けられている。対物光学系により形成された像は、接眼レンズ１５Ｌ，１５Ｒにより拡大され、観察される。
【００１３】
次に、図１に示す左右一対の鏡体２１，２２を、双眼鏡の幅方向中心部に対して対称に移動可能とするための構成について説明する。なお、以下の説明では、双眼鏡の対物側（被写体に近い側）を前方、接眼側（観察者に近い側）を後方と呼ぶ。また、図２における光軸ＯＡL，ＯＡRに平行な方向は、単に「光軸方向」と呼ぶ。
【００１４】
図３は、双眼鏡１のフレーム構造を示す分解斜視図である。左右一対の鏡体２１，２２を移動可能に支持するための支持フレーム２５（図１）は、平行な２枚の板部材である底板４１と天板４２、及び底板４１と天板４２の間に設けられ双眼鏡の高さ方向の支柱となる中央支持体４５によって、横Ｈ字型のフレームとして構成されている。
【００１５】
左右の望遠光学系１０Ｌ，１０Ｒ（図２）の各レンズ及びプリズム（図３では夫々光軸ＯＡL，ＯＡRで示す）は、底板４１と天板４２の間で双眼鏡幅方向に移動可能に設けられた左右一対のスライドフレーム３１，３２に支持される。また、当該スライドフレーム３１，３２には、観察者に把持される部分である左右一対の外装ケース５１，５２が固定される。この左右のスライドフレーム３１，３２及び外装ケース５１，５２が、図１の鏡体２１，２２を構成する。
【００１６】
図４は、左右のスライドフレーム３１，３２、及び両スライドフレームを支持する底板４１を示す斜視図である。スライドフレーム３１，３２は、夫々中央部に開口３１２，３２２が形成された左右一対の板状部材である。スライドフレーム３１，３２の夫々双眼鏡左端及び右端に相当する端部は、鉛直上向きに屈曲され、側壁部３１１，３２１を形成している。
【００１７】
スライドフレーム３１の前端及び後端には、側壁部３１１から所定距離の位置に、鉛直方向上方に起立する一対の起立部３１３，３１４が形成されている。側壁部３１１と起立部３１３，３１４との間で、左側の望遠光学系１０Ｌ（図２）が保持される。同様に、スライドフレーム３２の保持部３２０の前端及び後端には起立部３２３，３２４が形成され、側壁部３２１と起立部３２３，３２４との間で、右側の望遠光学系１０Ｒ（図２）が保持される。
【００１８】
スライドフレーム３１の両起立部３１３，３１４の間には、前後方向に延びる案内軸３１５が掛け渡され、スライドフレーム３２の両起立部３２３，３２４の間には、前後方向に延びる案内軸３２５が掛け渡されている。両案内軸３１５，３２５は、接眼光学系及びプリズムを前後方向に移動させる際の案内を行うものである（詳細は後述する）。
【００１９】
スライドフレーム３１の前端及び後端近傍には、双眼鏡幅方向に延びる案内溝３１０ａ，３１０ｂが夫々形成されている。同様に、スライドフレーム３２の前端及び後端近傍には、双眼鏡幅方向に延びる案内溝３２０ａ，３２０ｂが夫々形成されている。
【００２０】
底板４１の四隅には、４本のピン４１３，４１４，４１５，４１６が植設され、夫々スライドフレーム３１の案内溝３１０ａ，３１０ｂとスライドフレーム３２の案内溝３２０ａ，３２０ｂに係合する。案内溝３１０ａ，３１０ｂ，３２０ａ，３２０ｂとピン４１３，４１４，４１５，４１６との係合により、スライドフレーム３１，３２は、底板４１上で双眼鏡幅方向にのみ移動可能に位置規制される。
【００２１】
スライドフレーム３１の右端からは、スライドフレーム３２に向けて平行な一対の延出部３３１，３３２が延びており、スライドフレーム３２の左端からは、スライドフレーム３１に向けて一対の延出部３４１，３４２が延びている。
延出部３３１，３３２には双眼鏡の幅方向に延びる係合溝３３３，３３４が夫々形成され、同様に、延出部３４１，３４２には係合溝３４３，３４４が夫々形成されている。
【００２２】
図５に、スライドフレーム３１，３２を底板４１に取り付けた状態を示す。スライドフレーム３１，３２を底板４１に取り付けると、スライドフレーム３１の延出部３３１，３３２とスライドフレーム３２の延出部３４１，３４２とは、スライドフレーム３２側を上にして夫々重なるように配置される。
【００２３】
スライドフレーム３１の係合溝３３３とスライドフレーム３２の係合溝３４３には、底板４１の双眼鏡幅方向中央に植設されたピン４１１が係合し、スライドフレーム３１の係合溝３３４とスライドフレーム３２の係合溝３４４には、底板４１の双眼鏡幅方向中央に植設されたピン４１２が係合している。ピン４１１，４１２と各係合溝の係合により、スライドフレーム３１，３２は双眼鏡幅方向に案内される。
【００２４】
中央支持体４５は、底板４１の幅方向中央部において、スライドフレーム３１，３２の各延出部に跨るように配置される。スライドフレーム３１の延出部３３１、及びスライドフレーム３２の延出部３４２には、夫々ラック３３５，３４５が互いに向き合って形成されており、両ラック３３５，３４５は中央支持体４５の下部に設けられたピニオン３６に係合している。
【００２５】
また、図３に示すように、スライドフレーム３１の起立部３１３，３１４の上端面３１３ａ，３１４ａ、及びスライドフレーム３２の起立部３２３，３２４の上端面３２３ａ，３２４ａは、天板４２の下面に当接する当接面となっている。このように、スライドフレーム３１，３２は底板４１及び天板４２により鉛直方向に位置規制される。
かくして、スライドフレーム３１，３２は、底板４１と天板４２及び中央支持体４５よりなる横Ｈ型の支持フレーム２５によって双眼鏡の幅方向にスライド可能に支持される。
【００２６】
図６は、底板４１上でのスライドフレーム３１，３２のスライド状態を示す平面図である。スライドフレーム３１，３２は、底板４１に植設された各ピン４１３，４１４，４１５，４１６と、案内溝３１０ａ，３１０ｂ，３２０ａ，３２０ｂとの係合によって、双眼鏡幅方向にのみスライド可能となっている。さらに、ピニオン３６がスライドフレーム３１，３２のラック３３５，３４５に係合しているため、図６（ａ）、（ｂ）に示すように、スライドフレーム３１，３２は、互いに逆方向に同量だけ移動可能となる。
【００２７】
図７は、スライドフレーム３１，３２の案内溝３１０ａ，３１０ｂ，３２０ａ，３２０ｂと底板４１のピン４１３，４１４，４１５，４１６との位置関係を示す概略図である。なお、図７では、案内溝３１０ａ，３１０ｂ，３２０ａ，３２０ｂを点線で示す。
【００２８】
図７に示すように、底板４１の前端近傍には、双眼鏡幅方向に延びる切り欠き４１ａ，４１ｂが形成され、底板４１の前端と切り欠き４１ａ，４１ｂとの間のピン４１３，４１５を含む領域が前後方向に弾性変形可能となっている。
上記の案内溝３１０ａ，３２０ａとピン４１３，４１５とは、上記の領域が前方あるいは後方に僅かに弾性変形した状態で係合している。従って、ピン４１３，４１４，４１５，４１６は案内溝３１０ａ，３１０ｂ，３２０ａ，３２０ｂに対して当接付勢される。
【００２９】
このように構成されているため、ピン４１３，４１４，４１５，４１６と案内溝３１０ａ，３１０ｂ，３２０ａ，３２０ｂとの間にクリアランスがあっても、可動フレーム３１，３２の移動の際のがたつきは抑えられる。また、ピン４１３，４１５と案内溝３１０ａ，３２０ａとのクリアランスをあまり小さくする必要が無いため、スライドフレーム３１，３２の移動の際の摺動抵抗も少なく、眼幅調整操作がし易くなる。
【００３０】
次に、スライドフレームと外装ケースの取付構造について説明する。
図８は、右側のスライドフレーム３２と外装ケース５２の取り付け構造を示す斜視図である。なお、図８では、スライドフレーム３２の上下に位置する底板４１，天板４２（図３）は省略する。
【００３１】
外装ケース５２は双眼鏡幅方向内側に開口した箱型に形成されている。外装ケース５２の前端には鉛直壁５２１が形成され、対物光学系の第１レンズ１１Ｒ（図２）に入射光を導くための開口５２２が形成されている。一方、外装ケース５２の後端は全体が開口となっており、当該開口の双眼鏡幅方向内側の周縁には、後端カバー５２９を取り付けるための外縁部５２３が形成されている。
【００３２】
スライドフレーム３２の一対の起立部３２３，３２４のうち、前方の起立部３２３には、前方に向けて水平に突出し、外装ケース５２の壁５２１に当接する当接部３４６が形成されている。また、接眼側の起立部３２４は後方に向けて屈曲され、屈曲部の上下端が外装ケース５２の外縁部５２３に当接する当接部３４７となっている。
【００３３】
さらに、起立部３２３にはねじ孔３４８が形成され、ねじ孔３４８に対応する外装ケース５２の所定箇所には貫通孔５２４が形成されている。また、起立部３２４にはねじ孔３２４ａが形成され、外装ケース５２の外縁部５２３にはめ込まれる後端カバー５２９には、ねじ孔３２４ａに対応する箇所に貫通孔５２６が形成されている。そして、側壁部３２１の所定箇所にはねじ孔３４９が形成され、ねじ孔３４７に対応する外装ケース５２の所定箇所には、貫通孔５２５が形成されている。
【００３４】
このように、スライドフレーム３２と外装ケース５２とは、当接部３４６，３４７と壁５２１及び外縁部５２３との当接、及びねじ孔３４８，３２４ａ，３４９へのねじの締め付けによって固定される。つまり、スライドフレーム３２の上下には底板４１と天板４２が位置するため、スライドフレーム３２の上下以外の箇所、即ち、前後端と側端において、スライドフレーム３２と外装ケース５２とが固定される。なお、左側の鏡体２１とスライドフレーム３１も、同様に固定される。
【００３５】
このように構成されているため、スライドフレーム３１，３２と外装ケース５１，５２により構成される左右の鏡体２１，２２は、横Ｈ型の支持フレーム２５に支持され、図９（ａ）、（ｂ）に概略断面図として示す如く、支持フレーム２５に対して対称にスライドする。
【００３６】
本実施形態の双眼鏡では、スライドフレーム３１，３２と外装ケース５１，５２よりなる左右の鏡体（ケーシング）２１，２２が、夫々箱体（殻）を構成するため、剛性の高い構造が得られる。なお、左右の鏡体２１，２２の剛性をより高くするため、スライドフレーム３１，３２及び外装ケース５１，５２は金属で構成されている。
【００３７】
また、左右の鏡体２１，２２が、底板４１と天板４２及び中央支持体４５よりなる横Ｈ型の支持フレーム２５に支持されるため、図９（ｂ）に示すように、左右の鏡体２１，２２の間隔を広げた状態でも、双眼鏡１全体の剛性が保たれる。なお、双眼鏡１全体の剛性をより高くするため、底板４１と天板４２は金属で構成されている。
【００３８】
次に、左右の鏡体において光学系を保持するための構成について説明する。
本実施形態の双眼鏡は、図２に示す左右の望遠光学系１０Ｌ，１０Ｒのうち、補助プリズム１２Ｌ，１２Ｒから接眼レンズ１５Ｌ，１５Ｒまでの部分を左右夫々移動可能なユニットとし、当該ユニットを光軸ＯＡL，ＯＡRに沿って移動させることによって接眼部の収納／突出及び焦点調整を行うよう構成されている。
【００３９】
そのため、図３に示すスライドフレーム３１，３２には、各プリズム及びレンズを保持すると共に、光軸に沿って移動可能な左右一対の移動ユニット６ａ，６ｂ（図３では省略）が設けられる。図１０及び図１１は右側の移動ユニット６ｂを示す分解斜視図及び斜視図である。なお、左側の移動ユニット６ａは、右側の移動ユニット６ｂと双眼鏡幅方向の中心に対し対称に構成されている。
【００４０】
図１０に示すように、右側の移動ユニット６ｂは、プリズム（後述）を保持するプリズムホルダ６４と、レンズ（後述）を保持するレンズホルダ６６、及びこれらを支持する移動体６２により構成されている。レンズホルダ６６の先端には接眼部の外装部材である化粧環６８が取り付けられ、化粧環６８の先端には目当てゴム６８ａが設けられている。
【００４１】
移動体６２は、プリズムホルダ６４を載置するベース板６２ａと、ベース板６２ａの後端及び左端に設けられた２つの鉛直壁６２ｂ，６２ｃよりなっている。２つの鉛直壁６２ｂ，６２ｃは平面視でＬ字状のフレームを形成し、鉛直壁６２ｂにはレンズホルダ６６が後方から取り付けられる。
【００４２】
鉛直壁６２ｃには、スライドフレーム３２の案内軸３２５を挿通させるための挿通孔６２１，６２２が形成され、鉛直壁６２ｂの右端にはスライドフレーム３２の側壁部３２１に上方から接する当接部６２３が設けられている。かくして、図１１に示すように、移動体６２は、スライドフレーム３２に対し、前後方向に移動可能に支持される。
【００４３】
ここで、図１２に、移動体６２を右後方から見た斜視図として示すように、移動体６２のベース板６２ａの右端には、スライドフレーム３２の側壁部３２１に下方から当接するよう上方に向けて屈曲形成された当接片６２６が設けられている。スライドフレーム３２に移動体６２を取り付けると、当接片６２６は僅かに弾性変形した状態で側壁部３２１の下方に当接する。即ち、移動体６２の当接部６２３と当接片６２６が上下から側壁部３１２を挟み込む。これにより、移動体６２の案内軸３２５回りに回転が防止される。
【００４４】
また、案内軸３２５と挿通孔６２１，６２２（図１０）との間のクリアランスによるがたを除去するため、鉛直壁６２ｃの上端には、天板４２（図３）に摺接する摺接部６２７が設けられている。摺接部６２７は、長手方向一端が固定され他端が自由端であるレバー形状に形成されており、摺接部６２７の自由端近傍には上方に突出する突起６２７ａが設けられている。摺接部６２７が僅かに下方に弾性変形した状態で、突起６２７ａが天板４２（図３）に下方から当接する。移動体６２の移動に伴い、摺接部６２７（の突起６２７ａ）と天板４２（図３）の下面とが摺接し、上記のがたが除去される。
【００４５】
なお、スライドフレーム３２の前方には、対物光学系の第１レンズ１１Ｒを保持する第１レンズ枠１９が、視度差調整のため光軸方向に移動可能に支持されているが、この視度差調整については説明を省略する。
【００４６】
図１３は、双眼鏡１の内部構成を示す断面図である。図１３に示すように、左右のプリズムホルダ６３，６４には、補助プリズム１２Ｌ，１２Ｒとダハプリズム１３Ｌ，１３Ｒが保持されている。又、左右のレンズホルダ６５，６６には、対物光学系の第２レンズ１４Ｌ，１４Ｒ、接眼レンズ１５Ｌ，１５Ｒ、及び視野環１６Ｌ，１６Ｒが保持されている。
【００４７】
左右の移動体６１，６２からは双眼鏡幅方向中央部に向けてアーム６１４、６２４が延びており、双眼鏡幅方向中央部には、アーム６１４，６２４を光軸方向に駆動するための焦点調整用駆動機構７０が設けられている。焦点調整用駆動機構７０には、焦点調整用の操作部材である転輪７１が設けられ、転輪７１の内部には駆動環７１ａが固定され、駆動環７１ａの内面には２つの突起７６，７７が設けられている。
【００４８】
また、駆動環７１ａの内部には、突起７６，７７に係合するねじ溝を有するねじ７３が設けられている。ねじ７３の先端には、ねじ７３が軸回りに回転しないよう前後方向に案内するスライダ７４が取り付けられ、転輪７１を回転すると、ねじ７３及びスライダ７４が直進移動する。そして、スライダ７４に設けられた後述のレバー７５を介してアーム６１４，６２４が前後に移動し、移動体６１，６２を移動させる。
【００４９】
図１３に示す状態では、第１レンズ１１Ｌ，１１Ｒと移動ユニット６ａ，６ｂとは最も近接した状態にある。この状態では、移動ユニット６ａ，６ｂは後端部を残して双眼鏡１の外装ケース５１，５２内に収納されている。
【００５０】
図１４に、移動ユニット６ａ，６ｂが第１レンズ１１Ｌ，１１Ｒから最も離間した状態を示す。図１４に示す状態では、移動ユニット６ａ，６ｂの接眼レンズ１５Ｌ，１５Ｒ、化粧環６７，６８、及び目当てゴム６７ａ，６８ａが双眼鏡１の外装ケース５１，５２から後方（観察者側）に突出する。
【００５１】
実施形態の双眼鏡は、図１３に示すように移動ユニット６ａ，６ｂが最も第１レンズ１１Ｌ，１１Ｒに近接した状態（収納状態）では観察不能である。このように、接眼光学系を含む移動ユニット６ａ，６ｂが、観察不能状態（収納状態）になるまで第１レンズ１１Ｌ，１１Ｒに近接し得るよう構成されているため、双眼鏡１は未使用時にそれだけ小型になる。
【００５２】
次に焦点調整用駆動機構７０について説明する。図１５は、焦点調整用駆動機構７０を示す斜視図である。ねじ７３は前後方向に延びる支軸７２により貫通支持されている。ねじ７３の先端に設けられたスライダ７４には、中央支持体４５の内部に設けられた案内レール４５ａに案内されるコーナー部７４ａが形成され、コーナー部７４ａと案内レール４５ａとの摺動によって、スライダ７４（及びねじ７３）は前後方向に直進移動可能になる。
【００５３】
中央支持体４５の両側面には、左右の移動体６１，６２のアーム６１４，６２４を左右両側から挿入するためのスリット４５ｂ，４５ｂが形成されている。また、スライダ７４には、下方に向けて延びるレバー７５が取り付けられる。このレバー７５が、スリット４５ｂ，４５ｂから中央支持体４５の内部に挿入されたアーム６１４，６２４の溝６１５，６２５に上方から係合する。
【００５４】
このように、転輪７１の回転に伴い、レバー７５と溝６１５，６２５との係合によって、左右の移動体６１，６２が前後方向に移動する。なお、眼幅調整によるスライドフレーム３１，３２の移動に伴い、移動体６１，６２も左右方向に移動するため、溝６１５，６２５は移動体６１，６２の左右方向の移動を許容できるよう十分長く形成されている。
【００５５】
最後に、本発明の特徴部分と実施形態との関係について説明する。
図７に示すように、スライドフレーム３１，３２には双眼鏡幅方向に延びる案内溝３１０ａ，３１０ｂ，３２０ａ，３２０ｂが形成され、底板４１の四隅にはこれら案内溝に夫々係合するピン４１３，４１４，４１５，４１６が突設されている。
さらに、底板４１の前端近傍には、双眼鏡幅方向に延びる切り欠き４１ａ，４１ｂが形成され、底板４１の前端と切り欠き４１ａ，４１ｂとの間のピン４１３，４１５を含む領域が前後方向に弾性変形可能となっている。
【００５６】
上記の案内溝３１０ａ，３１０ｂ，３２０ａ，３２０ｂとピン４１３，４１４，４１５，４１６とは、上記の領域が僅かに弾性変形した状態で係合している。従って、ピン４１３，４１４，４１５，４１６は案内溝３１０ａ，３１０ｂ，３２０ａ，３２０ｂに対して当接付勢される。即ち、ピン４１３，４１４，４１５，４１６と案内溝３１０ａ，３１０ｂ，３２０ａ，３２０ｂとの間にクリアランスがあっても、スライドフレーム３１，３２の移動の際のがたつきは抑えられる。
【００５７】
【発明の効果】
以上説明したように、本発明の双眼鏡によると、支持部材におけるピンを含む領域の弾性力によって、ピンが案内溝に対して当接付勢される。そのため、案内溝とピンとの間にクリアランスがあっても、眼幅調整の際のがたつきは減少する。また、案内溝とピンとのクリアランスをあまり小さくする必要が無いため、眼幅調整の際の可動フレームの移動がスムースに行われ、眼幅調整操作がし易くなる。
【図面の簡単な説明】
【図１】本実施形態の双眼鏡の斜視図である。
【図２】図１の双眼鏡の光学系を示す図である。
【図３】図１の双眼鏡の分解斜視図である。
【図４】スライドフレームと底板を示す斜視図である。
【図５】スライドフレームを底板に取り付けた状態を示す斜視図である。
【図６】スライドフレームのスライド動作を示す斜視図である。
【図７】案内溝とガイドピンとの位置関係を示す概略図である。
【図８】スライドフレームへの外装ケースの取付構造を示す斜視図である。
【図９】左右の鏡体のスライド動作を示す断面図である。
【図１０】移動ユニットの構造を示す斜視図である。
【図１１】移動ユニットの構造を示す斜視図である。
【図１２】移動体を示す斜視図である。
【図１３】双眼鏡の内部構造を示す平面図である。
【図１４】双眼鏡の内部構造を示す平面図である。
【図１５】操作部を示す分解斜視図である。
【符号の説明】
１              双眼鏡
２１，２２      鏡体
２５            支持フレーム
３１，３２      スライドフレーム
３１０ａ，３１０ｂ，３２０ａ，３２０ｂ  案内溝
３６            ピニオン
４１            底板
４１３，４１４，４１５，４１６  ピン
４２            天板
４５            中央支持体
５１，５２      外装ケース
６１，６２      移動体
【図１】
0003936000.tif 000002
【図２】
0003936000.tif 000003
【図３】
0003936000.tif 000004
【図４】
0003936000.tif 000005
【図５】
0003936000.tif 000006
【図６】
0003936000.tif 000007
【図７】
0003936000.tif 000008
【図８】
0003936000.tif 000009
【図９】
0003936000.tif 000010
【図１０】
0003936000.tif 000011
【図１１】
0003936000.tif 000012
【図１２】
0003936000.tif 000013
【図１３】
0003936000.tif 000014
【図１４】
0003936000.tif 000015
【図１５】
0003936000.tif 000016